(57)【要約】【課題】電気錠を用いた出入口からの出入りの利便性を高める。【解決手段】出入口外側の床に屋外用ＲＦＩＤ読取手段１を設置し、これにより扉の外側に立った人の履物に装着されているＲＦＩＤよりＩＤコードを読み取る。このＩＤコードが予め登録されているものであればコントローラ６は電気錠駆動手段７に対し電気錠８を解錠すべく命令を出力する。また、コントローラ６は検出されたすべてのＩＤコードを記憶しておき、初めて検出されるＩＤコードであって屋内から出てきたと判断される場合は、自動的に入門を許可すべきＩＤコードとして登録する。【選択図】  図１
2004339789.tif 000002
【特許請求の範囲】
【請求項１】
出入口扉に設けられた電気錠と、出入口扉の外側の地面もしくは床に設けられ、ＲＦＩＤよりＩＤコードを読み取る読取手段と、ＩＤコードを記憶する登録ＩＤ記憶手段と、読み取られた前記ＩＤコードが前記登録ＩＤ記憶手段に予め登録されたものであるかを照合する照合手段と、前記照合手段出力に基づき、前記電気錠の開閉を制御する電気錠駆動手段とを備えたドア解錠システム。
【請求項２】
出入口扉に設けられた電気錠と、出入口扉の外側の地面もしくは床に設けられ、ＲＦＩＤよりＩＤコードを読み取る読取手段と、ＩＤコードを記憶する登録ＩＤ記憶手段と、個人を識別するための識別手段と、前記読取手段より読み取られた複数個のＩＤコードが前記登録ＩＤ記憶手段に予め登録されたものであるかを照合する照合手段と、前記照合手段出力と前記識別手段出力に基づき、前記電気錠の開閉を制御する電気錠駆動手段とを備えたドア解錠システム。
【請求項３】
前記識別手段が前記出入口扉付近外側の壁もしくは柱に設置されたＲＦＩＤよりＩＤコードを読み取る他の読取手段であることを特徴とする請求項２記載のドア解錠システム。
【請求項４】
出入口扉に設けられた電気錠と、出入口扉の外側の地面もしくは床に設けられ、ＲＦＩＤよりＩＤコードを読み取る第１の読取手段と、出入口扉の内側の地面もしくは床に設けられ、ＲＦＩＤよりＩＤコードを読み取る第２の読取手段と、ＩＤコードを記憶する登録ＩＤ記憶手段と、少なくとも前記第１の読取手段により読み取られたＩＤコードを記憶している履歴記憶手段と、前記電気錠の解錠と前記第２の読取手段によるＩＤコードの読み取り時刻が前記第１の読取手段によるＩＤコードの読み取り時刻よりも先であることを検出する検出手段と、前記第２の読取手段により読み取られたＩＤコードが前記履歴記憶手段に記憶されているものであるか否かを照合する照合手段と、前記検出手段及び前記照合手段出力に基づき、前記第２の読取手段により読み取られたＩＤコードを前記登録ＩＤ記憶手段に登録する登録手段とを備えたドア解錠システム。
【請求項５】
出入口扉に設けられた電気錠と、出入口扉の外側の地面もしくは床に設けられ、ＲＦＩＤよりＩＤコードを読み取る読取手段と、ＩＤコードを記憶する登録ＩＤ記憶手段と、前記読取手段により読み取られたＩＤコードを記憶している履歴記憶手段と、前記電気錠の解錠時刻もしくは前記扉が開かれた時刻と前記読取手段によるＩＤコードの読み取り時刻を検出し、該ＩＤコードの読み取り時刻が前記解錠時刻よりも遅く且つ所定時間以内であることを検出する検出手段と、前記読取手段により読み取られたＩＤコードが前記履歴記憶手段に記憶されているものであるか否かを照合する照合手段と、前記検出手段及び前記照合手段出力に基づき、前記読取手段により読み取られたＩＤコードを前記登録ＩＤ記憶手段に登録する登録手段をと備えたドア解錠システム。
【請求項６】
前記ドア解錠システムが電気によって駆動しており、停電時に動作可能なバックアップ用電源を備えており、該バックアップ用電源が、鍵による解錠動作により電力供給を開始するようにしたことを特徴とする請求項１、２、４または５の何れかに記載のドア解錠システム。
【発明の詳細な説明】
【０００１】
【発明の属する技術分野】
本発明は、敷地または建物の出入口扉に設けられた鍵の施錠・解錠を自動的に行うドア解錠システムに関する。
【０００２】
【従来の技術】
従来、ドア解錠システムとしては、特許文献１に記載されたものが知られている。即ち、電気錠と、個人を識別するための信号を入力する手段と、その信号と予め登録されている信号との照合を行う手段とを備え、照合手段により特定の個人であることが確認されると電気錠を開けるというもので、更に個人を識別するための手段としてＩＤタグあるいはＲＦＩＤ（Ｒａｄｉｏ  Ｆｒｅｑｕｅｎｃｙ  Ｉｄｅｎｔｉｆｉｃａｔｉｏｎ）よりＩＤコードの読み取り装置を備えるというものである。
【０００３】
【特許文献１】
特開２００１−１１０４２３号公報
【０００４】
【発明が解決しようとする課題】
しかしながら上記のような構成では、特定の個人であることを証明するためにＩＤカード等、特定のＲＦＩＤを有するものを所持しておき、読み取り装置にかざす等の煩わしい行為を行う必要があった。
【０００５】
本発明は上記の問題点に鑑み、入門しようとする度にＩＤカードをかざす等の行為を行う必要のないドア解錠システムを提供するものである。
【０００６】
【課題を解決するための手段】
この課題を解決するために本発明のドア解錠システムは、出入口扉に設けられた電気錠と、出入口扉の外側の地面もしくは床に設けられ、ＲＦＩＤよりＩＤコードを読み取る読取手段と、ＩＤコードを記憶する登録ＩＤ記憶手段と、読み取られたＩＤコードが登録ＩＤ記憶手段に予め登録されたものであるかを照合する照合手段と、照合手段出力に基づき電気錠の開閉を制御する電気錠駆動手段とを備えるようにしたものである。
【０００７】
或いは、出入口扉に設けられた電気錠と、出入口扉の外側の地面もしくは床に設けられ、ＲＦＩＤよりＩＤコードを読み取る読取手段と、ＩＤコードを記憶する登録ＩＤ記憶手段と、個人を識別するための識別手段と、読取手段より読み取られた複数個のＩＤコードが登録ＩＤ記憶手段に予め登録されたものであるかを照合する照合手段と、照合手段と識別手段の出力に基づき電気錠の開閉を制御する電気錠駆動手段とを備えるようにしたものである。
【０００８】
或いは、出入口扉に設けられた電気錠と、出入口扉の外側の地面もしくは床に設けられ、ＲＦＩＤよりＩＤコードを読み取る第１の読取手段と、出入口扉の内側の地面もしくは床に設けられ、ＲＦＩＤよりＩＤコードを読み取る第２の読取手段と、ＩＤコードを記憶する登録ＩＤ記憶手段と、少なくとも第１の読取手段により読み取られたＩＤコードを記憶している履歴記憶手段と、電気錠の解錠と第２の読取手段によるＩＤコードの読み取り時刻が第１の読取手段によるＩＤコードの読み取り時刻よりも先であることを検出する検出手段と、第２の読取手段により読み取られたＩＤコードが履歴記憶手段に記憶されているものであるか否かを照合する照合手段と、検出手段及び照合手段の出力に基づき、第２の読取手段により読み取られたＩＤコードを登録ＩＤ記憶手段に登録する登録手段とを備えるようにしたものである。
【０００９】
或いは、出入口扉に設けられた電気錠と、出入口扉の外側の地面もしくは床に設けられ、ＲＦＩＤよりＩＤコードを読み取る読取手段と、ＩＤコードを記憶する登録ＩＤ記憶手段と、読取手段により読み取られたＩＤコードを記憶している履歴記憶手段と、電気錠の解錠時刻もしくは扉が開かれた時刻と読取手段によるＩＤコードの読み取り時刻を検出し、該ＩＤコードの読み取り時刻が解錠時刻よりも遅く且つ所定時間以内であることを検出する検出手段と、読取手段により読み取られたＩＤコードが履歴記憶手段に記憶されているものであるか否かを照合する照合手段と、検出手段及び照合手段出力に基づき、第２の読取手段により読み取られたＩＤコードを登録ＩＤ記憶手段に登録する登録手段とを備えるようにしたものである。
【００１０】
これらによって、ＩＤカードをかざす等の行為を行うことなく、履物に設けたＲＦＩＤによってドアの解錠を行うことができるので、利用者の利便性とセキュリティの確保とを実現することができる。
【００１１】
【発明の実施の形態】
本発明の請求項１に記載の発明は、出入口扉に設けられた電気錠と、出入口扉の外側の地面もしくは床に設けられ、ＲＦＩＤよりＩＤコードを読み取る読取手段と、ＩＤコードを記憶する登録ＩＤ記憶手段と、読み取られたＩＤコードが前記登録ＩＤ記憶手段に予め登録されたものであるかを照合する照合手段と、前記照合手段出力に基づき前記電気錠の開閉を制御する電気錠駆動手段とを備えるとしたものであり、これにより靴、ブーツ等のようなそれ自身が個人識別に用いることが可能である履物に装着されたＲＦＩＤを読み取ることでドアの解錠を行うという作用を有する。
【００１２】
また、請求項２に記載の発明は、出入口扉に設けられた電気錠と、出入口扉の外側の地面もしくは床に設けられ、ＲＦＩＤよりＩＤコードを読み取る読取手段と、ＩＤコードを記憶する登録ＩＤ記憶手段と、個人を識別するための識別手段と、前記読取手段より読み取られた複数個のＩＤコードが前記登録ＩＤ記憶手段に予め登録されたものであるかを照合する照合手段と、前記照合手段出力と前記識別手段出力に基づき、前記電気錠の開閉を制御する電気錠駆動手段とを備えるとしたものであり、これにより靴、ブーツ等のようなそれ自身が個人識別に用いることが可能である履物に装着されたＲＦＩＤよりＩＤコードを読み取り、更に別の手段による個人識別を行うことで靴の盗難等による「なりすまし」を防止するという作用を有する。
【００１３】
また、請求項３に記載の発明は、請求項２に係る発明において、前記識別手段が前記出入口扉付近外側の壁もしくは柱に設置されたＲＦＩＤよりＩＤコードを読み取る他の読取手段であるとしたものであり、これにより履物以外の別の所持品に装着されたＲＦＩＤよりＩＤコードを読み取ることで、より簡便な手法で靴の盗難等による「なりすまし」を防止するという作用を有する。
【００１４】
また、請求項４に記載の発明は、出入口扉に設けられた電気錠と、出入口扉の外側の地面もしくは床に設けられ、ＲＦＩＤよりＩＤコードを読み取る第１の読取手段と、出入口扉の内側の地面もしくは床に設けられ、ＲＦＩＤよりＩＤコードを読み取る第２の読取手段と、ＩＤコードを記憶する登録ＩＤ記憶手段と、少なくとも前記第１の読取手段により読み取られたＩＤコードを記憶している履歴記憶手段と、前記電気錠の解錠と前記第２の読取手段によるＩＤコードの読み取り時刻が前記第１の読取手段によるＩＤコードの読み取り時刻よりも先であることを検出する検出手段と、前記第２の読取手段により読み取られたＩＤコードが前記履歴記憶手段に記憶されているものであるか否かを照合する照合手段と、前記検出手段及び前記照合手段出力に基づき、前記第２の読取手段により読み取られたＩＤコードを前記登録ＩＤ記憶手段に登録する登録手段とを備えるとしたものであり、これにより元々屋内にいた人のみが有するＩＤコードを自動的に登録するという作用を有する。
【００１５】
また、請求項５に記載の発明は、出入口扉に設けられた電気錠と、出入口扉の外側の地面もしくは床に設けられ、ＲＦＩＤよりＩＤコードを読み取る読取手段と、ＩＤコードを記憶する登録ＩＤ記憶手段と、前記読取手段により読み取られたＩＤコードを記憶している履歴記憶手段と、前記電気錠の解錠時刻もしくは前記扉が開かれた時刻と前記読取手段によるＩＤコードの読み取り時刻を検出し、該ＩＤコードの読み取り時刻が前記解錠時刻よりも遅く且つ所定時間以内であることを検出する検出手段と、前記読取手段により読み取られたＩＤコードが前記履歴記憶手段に記憶されているものであるか否かを照合する照合手段と、前記検出手段及び前記照合手段出力に基づき、前記第２の読取手段により読み取られたＩＤコードを前記登録ＩＤ記憶手段に登録する登録手段とを備えるとしたものであり、これにより１個の読取手段をで元々屋内にいた人のみが有するＩＤコードを自動的に登録するという作用を有する。
【００１６】
また、請求項６に記載の発明は、上記請求項１、２、４または５のいずれかの発明において、前記ドア解錠システムが電気によって駆動しており、停電時に動作可能なバックアップ用電源を備えており、該バックアップ用電源が、鍵による解錠動作により電力供給を開始するとしたものであり、これにより停電時においても使用可能であり、しかも、鍵によって直接出入口の解錠を行わないようにしているのでピッキング等による不正な解錠操作を防ぐという作用を有する。
【００１７】
以下、本発明の実施の形態について図面を用いて説明する。
【００１８】
（実施の形態１）
図１は本発明の実施の形態によるドア解錠システムの構成を示すブロック図である。図１において、屋外用ＲＦＩＤ読み取り手段１（以下、読取手段１と称す）が出入口付近の屋外側の床に設置されている。ＲＦＩＤとは、他にＩＤタグ、或いはＩＣタグとも呼ばれ、外部より与えられる磁界や微弱電波を電源として、記憶している固有のＩＤコードを無線で送信するものである。ここでは、読取手段１は床に設置しているが、戸外であれば地面に設置しても良く、また、マット等の内側に装着し、設置場所を多少変えられるようにしても良い。
【００１９】
出入口より屋内に入ろうとする人が現れると、その人は必ず出入口のドアの前に立つので、屋外用ＲＦＩＤ読取手段１は、その人が履いている靴に装着されているＲＦＩＤ４よりＩＤコードを読み取りコントローラ６に送出する。コントローラ６では与えられたＩＤコードが登録ＩＤ記憶手段１０に登録済みのものであるかどうかを判別する。登録済みのＩＤコードであると判断されれば、コントローラ６は電気錠駆動手段７に対して電気錠８を解錠するよう命令を与え、ドアが解錠される。
【００２０】
このように、屋内に入ることを希望する者が、履いている靴に固有のＩＤコードを送信するＲＦＩＤが装着されていれば、何もしなくてもドアの前に立ちさえすれば解錠操作が自動的に行われる。靴は通常個人間で共有されるものではなく、個人毎に異なる靴を履くので、ＲＦＩＤ読取手段１を床ないしは地面に設置すれば特定の個人のみが有するＩＤコードを読み取ることができ、通常はこれで充分安全に自動でドアの解錠を行うことができる。
【００２１】
しかし、万が一、靴が盗まれた場合に対処するため、以下のような手法を用いても良い。即ち、個人識別手段３によりフェールセーフをかけるというものである。ここでは個人識別手段３としてテンキーによる暗証番号入力を用いている。この場合の動作を図２とともに説明する。
【００２２】
コントローラ６は、屋外ＲＦＩＤ読取手段１がＲＦＩＤ４を検出するのを待ち続ける（ステップ１００）。読取手段１がＲＦＩＤ４よりＩＤコードを検出すると、検出されたＩＤコードをコード検出の履歴を記憶する履歴記憶手段１１に書き込む（ステップ１０１）。この操作によって書き込まれた履歴は、後述のＩＤコード登録の際に利用される。次に、登録ＩＤ記憶手段１０に、このＩＤコードが登録されているかをチェックする（ステップ１０２）。もし登録済みのＩＤコードであれば登録者用の暗証番号を、登録済みでなければ未登録者用暗証番号をセットする（ステップ１０３，１０４）。
【００２３】
コントローラ６は実際に入力された暗証番号とコントローラ自身によってセットされた値との照合を行い（ステップ１０５）、値が合致すれば解錠処理を行い、合致しなければ何も行わずに終了する（ステップ１０６，１０７）。
【００２４】
ここでは登録者用暗証番号として２桁の暗証番号を、未登録者用暗証番号として６桁の暗証番号をセットするようにしている。読取手段１によって読み取られたＩＤコードが登録済みのものでなかった場合は、部外者である可能性が高いため、より複雑な暗証番号入力を求め、簡単には立ち入れないようにしている。一方、読取手段１によって読み取られたＩＤコードが登録済みのものであった場合は、屋内への立ち入りが許可されたものである可能性が高いため、簡単な暗証番号入力で立ち入りを許可する。
【００２５】
このようにすることで、予め登録された者は簡単に屋内に入ることができ、また、部外者の屋内への侵入を防ぐとともに、万が一許可されたものであっても、例えば、ＲＦＩＤを装着されていない靴を履いていたり、或いは、何らかの事由により出先で靴を取り替えた場合であっても屋内への立ち入りができるようにしている。部外者であって、登録済みのＩＤコードを有する靴を履いている場合とは、その靴は盗難等によるものの可能性が高いが、その場合はたとえ２桁の暗証番号であっても、暗証番号が２桁であること自体を含め、その番号を知るすべはないので、簡単な暗証番号でも充分に部外者の侵入を防ぐことができる。
【００２６】
なお、上記実施の形態において暗証番号として登録者用が２桁、未登録者用が６桁としたが、登録者用が未登録者用に比べて便利になっていればそれでよいのであって、この値でなければならない必要はない。
【００２７】
また、上記実施の形態では、個人識別手段３としてテンキーによる暗証番号入力を用いたが、個人識別手段３は、出入口扉付近の外側の壁や柱に別途設置された屋外用のＲＦＩＤ読取手段を用い、例えば、腕時計や手帳、クレジットカード、身分証明書、或いは衣服・装飾品等に装着されたＲＦＩＤよりＩＤコードを読み出し、その値が予め登録されたものと合致するかをチェックするようにして解錠操作を行うようにしてもよい。このように複数個のＩＤコードをチェックすることにより、より高いセキュリティレベルが確保できる。
【００２８】
また、新たな履物によるＲＦＩＤを検出することによって、ステップ１０４で、未登録者用暗証番号をセットし、ステップ１０５、１０６で照合された場合に、解錠処理と共に登録ＩＤ記憶手段１０へのＩＤコード登録を行ってもよい。
【００２９】
（実施の形態２）
以上述べたように、実施の形態１によれば、床、或いは地面にＲＦＩＤ読取手段を設置することで高い信頼度を有するドア解錠システムを提供することができる。ただこの場合であっても個人個人が有するＩＤコードは膨大であり、これらの登録作業が繁雑になる恐れがある。本発明の実施の形態２では、以下のように対処している。
【００３０】
図１に示すように、第２の読取手段２を出入口付近屋内側の床、或いは地面に設置する。これを用いて登録作業を行う。以下、図３に示すフローチャートとともに本実施の形態によるドア解錠システムの動作についての説明を行う。
【００３１】
コントローラ６は、読取手段１、２からの入力を待っている（ステップ２００）。未検出の時はフラグをセットする（ステップ２０１）。このフラグは、屋内・屋外のどちらで先にＲＦＩＤが検出されたかを判別するためのものである。ＲＦＩＤが検出されるとフラグのチェックを行う（ステップ２０２）。フラグがセットされている場合はステップ２０１を経由したことを意味するので、屋内・屋外を含めて最初の検出であることが分かり、ステップ２０３に進みフラグがリセットされる。そして、ステップ２０４で屋内・屋外のどちらであるかを判定する。屋外側であった場合はステップ２００に戻る。
【００３２】
この場合、ＲＦＩＤは検出されているのですぐにステップ２０２に進むが、ステップ２０３でフラグがリセットされているのでステップ２００に戻り、屋外から屋内に入ってきたような場合を排除することができる。
【００３３】
ステップ２０４で屋内側と判断されるとステップ２０５において、読取手段２により読み取られたＩＤコードが履歴記憶手段１１に登録されているものであるかどうかの検索を実施する。履歴記憶手段１１には屋外用の読取手段１によって読み取られたすべてのＩＤコードが記録されているので、もしも、ステップ２０６で履歴がないと判断されると、これは屋内にいる者、即ち入門が許可された人が新たに入手した履物であると判断され、ステップ２０７において登録ＩＤ記憶手段１０への登録作業が実施される。
【００３４】
このようにすることで、外出先で履物を取り替えたりしない限り、履物を新調した場合であっても自動的にシステムへの登録が行われる。
【００３５】
図４は、屋内用ＲＦＩＤ読取手段２を備えない場合において、ＩＤコード登録を行う手法について示したものである。ステップ５００においてＲＦＩＤが検出されると、これは屋外に設置されている読取手段１が解錠前にＲＦＩＤを検出したことであり、屋内にいた人が屋外に出たのではないことを意味するので、一連の登録作業は何も登録せずに終了する（あるいは、図２に示したステップ１０１に移行して、解錠処理を実施する）。
【００３６】
ドアの内側から鍵が開けられると、ＲＦＩＤが検出されない状態でステップ５０１により解錠状態が検出されるので、ステップ５００、ステップ５０１、ステップ５０２と進む。ここでタイマー（図示せず）がスタートし、ステップ５０３へ進む。屋外用の読取手段１によりＲＦＩＤが検出され、解錠からＲＦＩＤ検出までの時間が一定時間以内であれば鍵を開けた人が外に出てきたものと判断できるため、ここでは、ステップ５０４において５秒以内であればステップ５０５に進むようにしている。
【００３７】
逆に、タイマーの値が５秒を超えている場合は、解錠後に屋外に別人が現れた可能性もあるため、登録作業を停止する。
【００３８】
ステップ５０５で、読取手段１により読み取られたＩＤコードが履歴記憶手段１１に登録されているものであるかどうかの検索を実施する。履歴記憶手段１１には読取手段１によって読み取られたすべてのＩＤコードが記録されているので、もしもステップ５０６で履歴がないと判断されると、これは新たに入手した履物であると判断され、ステップ５０７において登録ＩＤ記憶手段１０への登録作業が実施される。
【００３９】
このようにすることで、屋外のみに読取手段が設置されている場合であってもシステムへの自動登録を行うことができる。
【００４０】
なお、本実施の形態においては、タイマーによる閾値を５秒としたが、扉の大きさや重さ等によって適切に増減して良いことはいうまでもない。また、ここでは解錠後５秒としたが、実際に扉が開いてからの時間を計測するようにしても良い。この場合は解錠後からの場合よりも短めに閾値を設定することが望ましい。
【００４１】
また、出入口の扉が外開きであるか内開きであるかによっても閾値は、異なってくる。特に扉が外開きの時は、扉を押しながら開き、それとともに人も出ていくので、閾値を小さな値、例えば１秒程度にまで短くすることができる。逆に、内開きの場合は、扉が開ききるまでは外に出ることが出来ないので、扉が開いてから一定時間以内にＩＤコードが検出された場合には外から入ってきたものと判断できるので登録作業をステップ５０４で停止しても良い。
【００４２】
また、図３あるいは図４に示したような動作フローは、主としてコントローラ６によって、実行される。そして、コントローラ６は、ハードウェアとしてのコンピュータシステムとソフトウェアとしてのプログラムから構成することができる。
【００４３】
（実施の形態３）
以上述べたような電気錠を用いたドア解錠システムでは、停電や何らかの事由によるブレーカの遮断操作で電力供給が停止した場合、この出入口を用いての外部からの立ち入りは一切出来なくなる。このため電気錠と併せて、通常の鍵を用いて手動で解錠を行うように設定されていることが多い。ただこの場合は、錠の構造によっては、ピッキング等、不当な操作によって鍵を開けられてしまう可能性がある。
【００４４】
そこで、本発明の実施の形態３では、図１に示したバックアップ用電源９を設けて、通常鍵による開閉操作をバックアップ用電源に対して行うようにしている。つまり、鍵穴に鍵を差し込んで回すと、商用の電灯線からの電力供給から電池等によるバックアップ電源による電力供給に切り替わるようになっている。
【００４５】
これにより、仮にピッキングによって解錠しようとした場合であっても単に電力供給元が切り替わるだけになるため、この操作によっては解錠出来ない。また、手動による解錠操作を行わないと電力供給元が切り替わらないため、例えば長期にわたって停電が続いた場合であっても、解錠操作まではバックアップ用電源からの電力供給は行われないため、無用な電力の浪費をなく、必要なときにバックアップ用電源が消費し尽くされていたという事態を防ぐことができる。
【００４６】
【発明の効果】
以上のように本発明によれば、ＲＦＩＤ読取手段を出入口付近の床、或いは地面に設置したことで、ＩＤカードをかざす等の特別な操作を殆ど必要とせずに、安全にドアの解錠を行うことができ、しかも、複雑な手続き無しでＩＤコードの登録が可能になるという効果が得られる。
【図面の簡単な説明】
【図１】本発明の実施の形態によるドア解錠システムの構成を示すブロック図
【図２】同ドア解錠システムにおける解錠処理の動作フローを示す流れ図
【図３】同ドア解錠システムにおけるＩＤ登録方法を示す流れ図
【図４】同ドア解錠システムにおける他のＩＤ登録方法を示す流れ図
【符号の説明】
１、２  ＲＦＩＤ読取手段
３  個人識別手段
４、５  ＲＦＩＤ
６  コントローラ
７  電気錠駆動手段
８  電気錠
９  バックアップ用電源
１０  登録ＩＤ記録手段
１１  履歴記憶手段
【図１】
2004339789.tif 000003
【図２】
2004339789.tif 000004
【図３】
2004339789.tif 000005
【図４】
2004339789.tif 000006